(57)【特許請求の範囲】
【請求項１】
リ−ル本体に回転自在に支持されたロ−タの一対のベ−ル支持腕に、ベ−ル支持部材を介して釣糸巻取状態と釣糸放出状態とに反転自在に設けられたベ−ルとを有する魚釣用スピニングリ−ルにおいて、仕掛投擲時に発生する慣性力にて作動する作動部材を、釣糸放出時におけるベ−ル支持部材と係合させることにより、前記ベ−ル支持部材の不要な動きを抑制してベ−ル支持部材の誤復帰を防止したことを特徴とする魚釣用スピニングリ−ル。
【請求項２】
リ−ル本体に回転自在に支持されたロ−タの一対のベ−ル支持腕に夫々形成された軸部と、該夫々の軸部で軸支するための透孔を基部に備えたベール支持部材と、該ベ−ル支持部材を介して釣糸巻取状態と釣糸放出状態とに反転自在に設けられたベ−ルとを有する魚釣用スピニングリ−ルにおいて、前記ベール支持部材の基部に形成された透孔に凹部を形成し、仕掛投擲時に発生する慣性力にて前記ベ−ル支持部材を変位させて前記基部の凹部と前記軸部とを係合させることにより、前記ベ−ル支持部材の不要な動きを抑制してベ−ル支持部材の誤復帰を防止したことを特徴とする魚釣用スピニングリ−ル。
【請求項３】
リ−ル本体に回転自在に支持されたロ−タの一対のベ−ル支持腕に、ベ−ル支持部材を介して釣糸巻取状態と釣糸放出状態とに反転自在に設けられたベ−ルと、該リ−ル本体に取付られたハンドルの操作に連動して、前記ベ−ルを釣糸放出状態から釣糸巻取状態へ反転復帰させるベ−ル反転機構とを有する魚釣用スピニングリ−ルにおいて、仕掛投擲時に発生する慣性力にてベ−ル反転部材を前記ベール支持部材の反転が阻止される位置に変位させることにより、前記ベ−ル支持部材の不要な動きを抑制してベ−ル支持部材の誤復帰を防止したことを特徴とする魚釣用スピニングリ−ル。
【発明の詳細な説明】
【０００１】
【発明の属する技術分野】
この発明は、仕掛投擲時のベ−ル振り落ちを防止する装置を改良した魚釣用スピニングリ−ルに関する。
【０００２】
【従来の技術】
従来魚釣用スピニングリ−ルにおけるベ−ル反転機構は、ベ−ルを起こした釣糸放出状態から、ベ−ルを戻した釣糸巻取状態に、ハンドルの回転に連動して切換える構成となっている。
しかし、ベ−ルの釣糸放出状態と釣糸巻取状態との振り分けは、バネのデットポイント作用による振り分けの為、
▲１▼仕掛投擲時（キャスティング時）の慣性力でハンドルが回転してしまい、前記（ベ−ル振り落ち機構）「ベ−ル反転機構」が連動して作動することによって、ベ−ルが「釣糸放出状態から釣糸巻取状態に」振り落ちてしまう。
▲２▼前記慣性力でベ−ルそのものが振り落ちてしまう。
といった不具合がある。
【０００３】
前記不具合を解消するべく、例えば特開昭５６−１５４９４３号公報や、特開昭５４−１５３１８８号公報にはベ−ル振り落ち防止装置が開示されている。
しかし、特開昭５６−１５４９４３号公報の構成では前記▲２▼に記されているような、ベ−ル単体での振り落ちを防ぐことが困難であり、特開昭５４−１５３１８８号公報の構成では前記▲１▼及び▲２▼の欠点は解消されるが、キャスティング時以外の時にも作動してしまう（誤作動する）不具合が新たに指摘されている。
【０００４】
【発明が解決しようとする課題】
解決しようとする問題点は、不具合を解消する提案の構成でも、ベ−ル単体での振り落ちを防ぐことが困難であったり、キャスティング時以外の時にもベ−ル振り落ち防止装置が作動してしまう（誤作動する）不具合があって、釣糸の放出が出来なかったり、糸切れが発生してしまうことである。
【０００５】
本発明の目的は前記欠点に鑑み、誤作動がなく、ベ−ルの振り落ちを確実に防止出来る魚釣用スピニングリ−ルを提供することである。
【０００６】
【課題を解決するための手段】
上記課題を解決するために、
請求項１に係る本発明は、リ−ル本体に回転自在に支持されたロ−タの一対のベ−ル支持腕に、ベ−ル支持部材を介して釣糸巻取状態と釣糸放出状態とに反転自在に設けられたベ−ルとを有する魚釣用スピニングリ−ルにおいて、仕掛投擲時に発生する慣性力にて作動する作動部材を、釣糸放出時におけるベ−ル支持部材と係合させることにより、前記ベ−ル支持部材の不要な動きを抑制してベ−ル支持部材の誤復帰を防止したことを要旨とするものである。
【０００７】
請求項２に係る本発明は、リ−ル本体に回転自在に支持されたロ−タの一対のベ−ル支持腕に夫々形成された軸部と、該夫々の軸部で軸支するための透孔を基部に備えたベール支持部材と、該ベ−ル支持部材を介して釣糸巻取状態と釣糸放出状態とに反転自在に設けられたベ−ルとを有する魚釣用スピニングリ−ルにおいて、前記ベール支持部材の基部に形成された透孔に凹部を形成し、仕掛投擲時に発生する慣性力にて前記ベ−ル支持部材を変位させて前記基部の凹部と前記軸部とを係合させることにより、前記ベ−ル支持部材の不要な動きを抑制してベ−ル支持部材の誤復帰を防止したことを要旨とするものである。
【０００８】
請求項３に係る本発明は、リ−ル本体に回転自在に支持されたロ−タの一対のベ−ル支持腕に、ベ−ル支持部材を介して釣糸巻取状態と釣糸放出状態とに反転自在に設けられたベ−ルと、該リ−ル本体に取付られたハンドルの操作に連動して、前記ベ−ルを釣糸放出状態から釣糸巻取状態へ反転復帰させるベ−ル反転機構とを有する魚釣用スピニングリ−ルにおいて、仕掛投擲時に発生する慣性力にてベ−ル反転部材を前記ベール支持部材の反転が阻止される位置に変位させることにより、前記ベ−ル支持部材の不要な動きを抑制してベ−ル支持部材の誤復帰を防止したことを要旨とするものである。
【０００９】
【発明の実施の形態】
請求項１の本発明により、作動部材２２と凹部６ｃで構成されたベ−ル振り落ち防止装置で、仕掛の投擲時における慣性力による作動部材２２と凹部６ｃの係合でベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００１０】
請求項２の本発明により、小判形の軸部４ｉと他方のベ−ル支持部材６の凹部６ｄで構成されたベ−ル振り落ち防止装置において、仕掛の投擲時における慣性力による他方のベ−ル支持部材６の変位で、ベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００１１】
請求項３の本発明により、キックカムからなるベ−ル反転部材８′やキックレバ−からなるベ−ル反転部材９′とキックボス９ｂの変位を可能にする円弧状の透孔６ｆで構成されたベ−ル振り落ち防止装置において、仕掛の投擲時における慣性力によるキックカムからなるベ−ル反転部材８′やキックレバ−からなるベ−ル反転部材９′の変位で、ベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００１２】
【実施例】
以下、図示の実施例によって本発明を説明すると、図１から図５は第１実施例で、図１は魚釣用スピニングリ−ルの要部断面側面図、図２は一方のベ−ル支持腕のカバ−と押え板が省略された魚釣用スピニングリ−ルの側面図、図３は他方のベ−ル支持腕のカバ−と押え板が省略された魚釣用スピニングリ−ルの側面図、図４は一方のベ−ル支持腕のカバ−と押え板が省略されたロ−タとスプ−ルの（ａ）は釣糸巻取状態の拡大側面図で（ｂ）は釣糸放出状態の拡大側面図、図５は他方のベ−ル支持腕のカバ−と押え板が省略されたロ−タとスプ−ルの（ａ）は釣糸巻取状態の拡大側面図で（ｂ）は釣糸放出状態の拡大側面図である。
【００１３】
魚釣用スピニングリ−ルは、リ−ル本体１の一側に蓋体１０がビス１１で取り付けられ、リ−ル本体１と蓋体１０の両側に取り付けられた図示しない軸受に駆動歯車２の回転軸２ａが軸支されている。
回転軸２ａの中心多角形孔にハンドル１２が固定されたハンドル軸１３が左右交換自在に挿入嵌合されて取り付けられている。
リ−ル本体１には軸受１４とカラ−１５を介して軸受１６で回転軸筒３が回転自在に軸承されると共に回転軸筒３の端部にはピニオン３ａが形成されている。
カラ−１５の前側の回転軸筒３の外周にロ−タ４の筒部４ａが回り止め嵌合されて回転軸筒３の先端に形成されたネジ部に螺合されたナット１７で固定されている。
軸受１６より後側のカラ−１５の外周にころがり式一方向回転規制機構が設けられてリ−ル本体１の後側に突出された操作杆１８と操作ツマミ１９で操作される。
【００１４】
回転軸筒３のピニオン３ａに駆動歯車２が噛合されてロ−タ４はハンドル１２の回転に連動して回転されるように支持されている。
回転軸筒３の中心孔にはスプ−ル軸２０が前後往復動可能に摺動自在に挿入され、スプ−ル軸２０の先端にスプ−ル２１が取り付けられてスプ−ル軸２０とスプ−ル２１はハンドル１２の回転でオシレ−ト機構を介して前後に往復動される。
ロ−タ４は筒部４ａで回転軸筒３に取り付けられ、筒部４ａと前壁４ｂと大径の筒部４ｃと大径の筒部４ｃの基部の外周から前方に向けて突出された一対の支持腕４ｄ、４ｅとで形成されて支持腕４ｄ、４ｅに凹部４ｆ、４ｇが形成されると共に凹部４ｆ、４ｇの中に軸部４ｈ、４ｉと支持腕４ｄの凹部４ｆの中に度当り部４ｊが形成されている。
更に支持腕４ｅの凹部４ｇの中に軸線方向の長方形の突堤４ｋが形成されて突堤４ｋに凹溝４ｍが形成されている。
【００１５】
凹溝４ｍの中にはピン状の作動部材２２と引っ張りバネ２３が挿入され、作動部材２２は図示しない仕掛の投擲時の慣性力で前方へ遊動自在にかつ、慣性力非作用時は、後方へバネ付勢されて挿入されている。
一対のベ−ル支持腕４ｄ、４ｅの軸部４ｈ、４ｉに夫々一方のベ−ル支持部材５の透孔５ａと他方のベ−ル支持部材６の透孔６ａが嵌合されて図２、図３の実線の釣糸巻取状態と２点鎖線の放出状態に反転自在に軸承されて夫々押え板２４、７を挟んでビス２５、２６で止められている。
一対のベ−ル支持腕４ｄ、４ｅの外側は夫々カバ−２７、２８で覆われてビス２９、３０で止められている。
【００１６】
一方のベ−ル支持部材５には釣糸案内ロ−ラ３１の取付部３２が取り付けられている。
他方のベ−ル支持部材６と釣糸案内ロ−ラ３１の取付部３２の間にベ−ル３３が取り付けられている。
一方のベ−ル支持部材５には半円形状の基部５ｂが形成されて基部５ｂの一側に押圧部材３４が軸部３５で回動自在に支持され、押圧部材３４はデットポイントバネ３６で押圧されている。
他方のベ−ル支持部材６には円形状の基部６ｂが形成されて基部６ｂに作動部材２２が係合可能な凹部６ｃが形成され、作動部材２２と凹部６ｃでベ−ル振り落ち防止装置が構成されている。
リ−ル本体１のリ−ル脚部１ａには一方のベ−ル支持部材５が放出状態にある時衝接される衝接部材３７が突出して設けられている。
【００１７】
魚釣用スピニングリ−ルの動作は、図２から図４（ａ）、図５（ａ）の実線の釣糸巻取状態でハンドル１２が回転されると、ロ−タ４が回転されてスプ−ル２１に図示しない釣糸が巻回される。
ベ−ル３３が釣糸巻取状態から釣糸放出状態に切換えられる時はベ−ル３３が手で起こされる。
図３、図４（ｂ）の釣糸放出状態で図示しない仕掛が投擲されるためにリ−ルが勢いよく振り降ろされると、図示しない釣糸がスプ−ル２１から繰り出されると共に、図５（ｂ）のように作動部材２２が仕掛の投擲時の慣性力でバネ２３のバネ力に抗して前進されて凹部６ｃに進入係合されることで他方のベ−ル支持部材６の反転が阻止される。
ベ−ル３３が釣糸放出状態から釣糸巻取状態に反転される時は、ハンドル１２でロ−タ４が回転されて一方のベ−ル支持部材５が衝接部材３７に衝接されることで反転される。
【００１８】
前記ベ−ル振り落ち防止装置の作動部材２２は、投擲時の慣性力で前進されて他方のベ−ル支持部材６の基部６ｂ外周に摺接されるブレ−キシュであってもよい。
【００１９】
前記のように魚釣用スピニングリ−ルが構成されると、作動部材２２と凹部６ｃで構成されたベ−ル振り落ち防止装置で、仕掛の投擲時における慣性力による作動部材２２と凹部６ｃの係合でベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００２０】
図６から図９は第２実施例で、図６は魚釣用スピニングリ−ルの要部断面側面図、図７は他方のベ−ル支持腕のカバ−と押え板が省略された魚釣用スピニングリ−ルの側面図、図８は他方のベ−ル支持腕のカバ−と押え板が省略された釣糸巻取状態のロ−タとスプ−ルの拡大側面図、図９は他方のベ−ル支持腕のカバ−と押え板が省略された釣糸放出状態のロ−タとスプ−ルの（ａ）は拡大側面図で（ｂ）はベ−ル振り落ち防止装置が作動した拡大側面図である。
【００２１】
第２実施例では、他方のベ−ル支持腕４ｅの軸部４ｉの上側外周が小判形に形成されて他方のベ−ル支持部材６の透孔６ａが嵌合されて図８実線の釣糸巻取状態と２点鎖線の放出状態に反転自在に軸承されて夫々押え板７を挟んでビス２６で止められている。
他方のベ−ル支持部材６には円形状の基部６ｂの中心に透孔６ａが形成されると共に凹部６ｄが形成され、更に基部６ｂに円弧状の透孔６ｅが形成されている。
他方のベ−ル支持腕４ｅの凹部４ｇの後側は切り欠かれて開口４ｎが形成されている。
凹部４ｇの中には軸孔４ｏが形成されている。
凹部４ｇの中にはキックカムからなるベ−ル反転部材８が落し込まれて軸部８ａが軸孔４ｏに回動自在に嵌合されている。
他方のベ−ル支持腕４ｅの小判形の軸部４ｉと他方のベ−ル支持部材６の凹部６ｄでベ−ル振り落ち防止装置が構成されている。
【００２２】
キックカムからなるベ−ル反転部材８の一側には腕部８ｂが形成されて腕部８ｂは釣糸放出状態で開口４ｎから外側に突出されている。
キックカムからなるベ−ル反転部材８の他側にはキックレバ−からなるベ−ル反転部材９の一側９ａが軸部３８で回動自在に支持されている。
キックレバ−からなるベ−ル反転部材９の他側にはキックボス９ｂが一体的に形成されてキックボス９ｂは他方のベ−ル支持部材６の円弧状の透孔６ｅに挿入されている。
リ−ル本体１のリ−ル脚部１ａには他方のベ−ル支持部材６が放出状態にある時キックカムからなるベ−ル反転部材８の腕部８ｂが衝接される位置にロ−ラからなる衝接部材３９が突出して設けられている。
他の構成は前記第１実施例と略同一である。
【００２３】
第２実施例におけるベ−ル振り落ち防止装置の動作は、図９（ａ）の釣糸放出状態で図示しない仕掛が投擲されるためにリ−ルが勢いよく振り降ろされると、図示しない釣糸がスプ−ル２１から繰り出されると共に、他方のベ−ル支持部材６が仕掛の投擲時の慣性力で前進されて図９（ｂ）のように、凹部６ｄが小判形の軸部４ｉに係合されることで他方のベ−ル支持部材６の反転が阻止される。
仕掛の投擲後他方のベ−ル支持部材６はベ−ル３３のバネ性で非係合位置に戻される。
ベ−ル３３が釣糸放出状態から釣糸巻取状態に反転される時は、ハンドル１２でロ−タ４が回転されてキックカムからなるベ−ル反転部材８の腕部８ｂが衝接部材３９に衝接されることで反転される。
【００２４】
第２実施例のように魚釣用スピニングリ−ルが構成されると、小判形の軸部４ｉと他方のベ−ル支持部材６の凹部６ｄで構成されたベ−ル振り落ち防止装置において、仕掛の投擲時における慣性力による他方のベ−ル支持部材６の変位で、ベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００２５】
図１０から図１２は第３実施例で、図１０は他方のベ−ル支持腕のカバ−と押え板が省略された魚釣用スピニングリ−ルの側面図、図１１は他方のベ−ル支持腕のカバ−と押え板が省略された釣糸巻取状態のロ−タとスプ−ルの拡大側面図、図１２は他方のベ−ル支持腕のカバ−と押え板が省略された釣糸放出状態のロ−タとスプ−ルの（ａ）は拡大側面図で（ｂ）はベ−ル振り落ち防止装置が作動した拡大側面図である。
【００２６】
第３実施例では、他方のベ−ル支持腕４ｅの軸部４ｉに他方のベ−ル支持部材６の透孔６ａが嵌合されて図１０実線の釣糸巻取状態と２点鎖線の放出状態に反転自在に軸承されて夫々押え板７を挟んでビス２６で止められている。
他方のベ−ル支持部材６には円形状の基部６ｂの中心に透孔６ａが形成され、更に基部６ｂに前記第２実施例の円弧状の透孔６ｅより長い円弧状の透孔６ｆが形成されていると共に、透孔６ｆ内の一面が前方に傾斜した傾斜面６ｇに形成されている。
他方のベ−ル支持腕４ｅの凹部４ｇの後側は切り欠かれて開口４ｎが形成されている。
凹部４ｇの中には軸孔４ｏが形成されている。
凹部４ｇの中にはキックカムからなるベ−ル反転部材８′が落し込まれて軸部８ａが軸孔４ｏに回動自在に嵌合されている。
キックカムからなるベ−ル反転部材８′の一側には腕部８ｂが形成されて腕部８ｂは釣糸放出状態で開口４ｎから外側に突出されている。
【００２７】
キックカムからなるベ−ル反転部材８′の他側にはキックレバ−からなるベ−ル反転部材９′の一側９ａが軸部３８で回動自在に支持されている。
キックレバ−からなるベ−ル反転部材９′の他側にはキックボス９ｂが一体的に形成されてキックボス９ｂは他方のベ−ル支持部材６の円弧状の透孔６ｆに挿入されている。
キックカムからなるベ−ル反転部材８′とキックレバ−からなるベ−ル反転部材９′にはバネ４０が張設されてキックボス９ｂがキックカムからなるベ−ル反転部材からなるベ−ル反転部材８′側に付勢されている。
【００２８】
リ−ル本体１のリ−ル脚部１ａには他方のベ−ル支持部材６が放出状態にある時キックカムからなるベ−ル反転部材８′の腕部８ｂが衝接される位置にロ−ラからなる衝接部材３９が突出して設けられている。
第３実施例ではキックレバ−からなるベ−ル反転部材９′とキックボス９ｂの変位を可能にする円弧状の透孔６ｆでベ−ル振り落ち防止装置が構成されている。
他の構成は前記第２実施例と略同一である。
【００２９】
第３実施例におけるベ−ル振り落ち防止装置の動作は、図１２（ａ）の釣糸放出状態で図示しない仕掛が投擲されるためにリ−ルが勢いよく振り降ろされると、図示しない釣糸がスプ−ル２１から繰り出されると共に、キックレバ−からなるベ−ル反転部材９′が仕掛の投擲時の慣性力で軸線方向に変位されて図１２（ｂ）のように、キックボス９ｂが円弧状の透孔６ｆの中を変位して傾斜面６ｇの位置となることで他方のベ−ル支持部材６の反転が阻止される。
仕掛の投擲後キックレバ−からなるベ−ル反転部材９′はバネ４０で図１２（ａ）の位置に戻される。
ベ−ル３３が釣糸放出状態から釣糸巻取状態に反転される時は、ハンドル１２でロ−タ４が回転されてキックカムからなるベ−ル反転部材８′の腕部８ｂが衝接部材３９に衝接されることで反転される。
【００３０】
第３実施例のように魚釣用スピニングリ−ルが構成されると、キックレバ−からなるベ−ル反転部材９′とキックボス９ｂの変位を可能にする円弧状の透孔６ｆで構成されたベ−ル振り落ち防止装置において、仕掛の投擲時における慣性力によるキックレバ−からなるベ−ル反転部材９′の変位で、ベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００３１】
図１３から図１６は第４実施例で、図１３は他方のベ−ル支持腕のカバ−と押え板が省略されたロ−タとスプ−ルの拡大側面図、図１４は他方の支持腕の中の押え板を示す釣糸放出状態のロ−タとスプ−ルの拡大側面図、図１５は他方のベ−ル支持腕のカバ−と押え板が省略された釣糸放出状態のロ−タとスプ−ルの拡大側面図、図１６はベ−ル振り落ち防止装置が作動した拡大側面図である。
【００３２】
第４実施例では、他方のベ−ル支持腕４ｅの軸部４ｉに他方のベ−ル支持部材６の透孔６ａが嵌合されて図１３実線の釣糸巻取状態と２点鎖線の放出状態に反転自在に軸承されて夫々押え板７を挟んでビス２６で止められている。
他方のベ−ル支持部材６には円形状の基部６ｂの中心に透孔６ａが形成され、更に基部６ｂに長い円弧状の透孔６ｆが形成されている。
他方のベ−ル支持腕４ｅの凹部４ｇの後側は切り欠かれて開口４ｎが形成されている。
凹部４ｇの中には円弧状の軸孔４ｐが形成されている。
凹部４ｇの中にはキックカムからなるベ−ル反転部材８′が落し込まれて軸部８ａが軸孔４ｐに回動自在及び前方に変位自在に嵌合されている。
キックカムからなるベ−ル反転部材８′の一側には腕部８ｂが形成されて腕部８ｂは釣糸放出状態で開口４ｎから外側に突出されている。
【００３３】
キックカムからなるベ−ル反転部材８′の他側にはキックレバ−からなるベ−ル反転部材９′の一側９ａが軸部３８で回動自在に支持されている。
押え板７には他方のベ−ル支持腕４ｅの軸部４ｉが嵌合される透孔７ａとビス３０が挿通される透孔７ｂと円弧状の軸孔７ｃとネジ孔７ｄが形成されている。
円弧状の軸孔７ｃは円弧状の軸孔４ｐと同位置に同形に形成されてキックカムからなるベ−ル反転部材８′の軸部８ａが回動自在及び前方に変位自在に嵌合されている。
押え板７の上方に突出した軸部８ａにはネジ孔７ｄに螺合されたビス４１で止められたバネ４２が当接されている。
第４実施例では前方に変位するキックカムからなるベ−ル反転部材８′でベ−ル振り落ち防止装置が構成されている。
他の構成は前記第２実施例と略同一である。
【００３４】
第４実施例におけるベ−ル振り落ち防止装置の動作は、図１５の釣糸放出状態で図示しない仕掛が投擲されるためにリ−ルが勢いよく振り降ろされると、図示しない釣糸がスプ−ル２１から繰り出されると共に、キックカムからなるベ−ル反転部材８′が仕掛の投擲時の慣性力で軸線方向に変位されて図１６のように、キックカムからなるベ−ル反転部材８′の腕部８ｂが開口４ｎの内側に入り込むので反転部材３９に衝接されることがない。
又キックレバ−からなるベ−ル反転部材９′は前記第３実施例のように仕掛の投擲時の慣性力で軸線方向に変位されてキックボス９ｂが円弧状の透孔６ｆの中を移動することで他方のベ−ル支持部材６の反転が阻止される。
仕掛の投擲後キックレバ−からなるベ−ル反転部材９′は図１５の位置にロ−タ４の回転等で戻される。
ベ−ル３３が釣糸放出状態から釣糸巻取状態に反転される時は、ハンドル１２でロ−タ４が回転されてキックカムからなるベ−ル反転部材８′の腕部８ｂが衝接部材３９に衝接されることで反転される。
【００３５】
第４実施例のように魚釣用スピニングリ−ルが構成されると、キックカムからなるベ−ル反転部材８′で構成されたベ−ル振り落ち防止装置において、仕掛の投擲時における慣性力によるキックカムからなるベ−ル反転部材８′の変位で、ベ−ル３３の誤復帰を確実に防止され、ベ−ル３３が反転して釣糸の繰り出しが出来なくなって切断されることがなくなると共に、リ−ルの巻取り操作時におけるベ−ル振り落ち防止装置の誤作動を防止することが可能となる。
【００３６】
【発明の効果】
本発明は、以上説明したような形態で実施され、以下に記載されるような効果を奏する。
【００３７】
請求項１により、作動部材と凹部で構成されたベ−ル振り落ち防止装置において、仕掛の投擲時における慣性力による作動部材と凹部の係合でベ−ルの誤復帰を確実に防止され、ベ−ルが反転して釣糸の繰り出しが出来なくなって切断されることがなくなると共に、リ−ルの巻取り操作時におけるベ−ル振り落ち防止装置の誤作動を防止することが可能となる。
【００３８】
請求項２により、小判形の軸部と他方のベ−ル支持部材の凹部で構成されたベ−ル振り落ち防止装置において、仕掛の投擲時における慣性力による他方のベ−ル支持部材の変位で、ベ−ルの誤復帰を確実に防止され、ベ−ルが反転して釣糸の繰り出しが出来なくなって切断されることがなくなると共に、リ−ルの巻取り操作時におけるベ−ル振り落ち防止装置の誤作動を防止することが可能となる。
【００３９】
請求項３により、キックカムからなるベ−ル反転部材やキックレバ−からなるベ−ル反転部材とキックボスの変位を可能にする円弧状の透孔で構成されたベ−ル振り落ち防止装置において、仕掛の投擲時における慣性力によるキックカムからなるベ−ル反転部材やキックレバ−からなるベ−ル反転部材の変位で、ベ−ルの誤復帰を確実に防止され、ベ−ルが反転して釣糸の繰り出しが出来なくなって切断されることがなくなると共に、リ−ルの巻取り操作時におけるベ−ル振り落ち防止装置の誤作動を防止することが可能となる。
【図面の簡単な説明】
【図１】第１実施例で、魚釣用スピニングリ−ルの要部断面側面図である。
【図２】同一方のベ−ル支持腕のカバ−と押え板が省略された魚釣用スピニングリ−ルの側面図である。
【図３】同他方のベ−ル支持腕のカバ−と押え板が省略された魚釣用スピニングリ−ルの側面図である。
【図４】同一方のベ−ル支持腕のカバ−と押え板が省略されたロ−タとスプ−ルの（ａ）は釣糸巻取状態の拡大側面図で（ｂ）は釣糸放出状態の拡大側面図である。
【図５】同他方のベ−ル支持腕のカバ−と押え板が省略されたロ−タとスプ−ルの（ａ）は釣糸巻取状態の拡大側面図で（ｂ）は釣糸放出状態の拡大側面図である。
【図６】第２実施例で、魚釣用スピニングリ−ルの要部断面側面図である。
【図７】同他方のベ−ル支持腕のカバ−と押え板が省略された魚釣用スピニングリ−ルの側面図である。
【図８】同他方のベ−ル支持腕のカバ−と押え板が省略された釣糸巻取状態のロ−タとスプ−ルの拡大側面図である。
【図９】同他方のベ−ル支持腕のカバ−と押え板が省略された釣糸放出状態のロ−タとスプ−ルの（ａ）は拡大側面図で（ｂ）はベ−ル振り落ち防止装置が作動した拡大側面図である。
【図１０】第３実施例で、他方のベ−ル支持腕のカバ−と押え板が省略された魚釣用スピニングリ−ルの側面図である。
【図１１】同他方のベ−ル支持腕のカバ−と押え板が省略された釣糸巻取状態のロ−タとスプ−ルの拡大側面図である。
【図１２】同他方のベ−ル支持腕のカバ−と押え板が省略された釣糸放出状態のロ−タとスプ−ルの（ａ）は拡大側面図で（ｂ）はベ−ル振り落ち防止装置が作動した拡大側面図である。
【図１３】第４実施例で、他方のベ−ル支持腕のカバ−と押え板が省略されたロ−タとスプ−ルの拡大側面図である。
【図１４】同他方の支持腕の中の押え板を示す釣糸放出状態のロ−タとスプ−ルの拡大側面図である。
【図１５】同他方のベ−ル支持腕のカバ−と押え板が省略された釣糸放出状態のロ−タとスプ−ルの拡大側面図である。
【図１６】同ベ−ル振り落ち防止装置が作動した拡大側面図である。
【符号の説明】
１  リ−ル本体
４  ロ−タ
４ｄ、４ｅ  一対の支持腕
５、６  ベ−ル支持部材
８、８′、９、９′  ベ−ル反転部材
２２  作動部材
３３  ベ−ル
【図１】
0003545609.tif 000002
【図２】
0003545609.tif 000003
【図３】
0003545609.tif 000004
【図４】
0003545609.tif 000005
【図５】
0003545609.tif 000006
【図６】
0003545609.tif 000007
【図７】
0003545609.tif 000008
【図８】
0003545609.tif 000009
【図９】
0003545609.tif 000010
【図１０】
0003545609.tif 000011
【図１１】
0003545609.tif 000012
【図１２】
0003545609.tif 000013
【図１３】
0003545609.tif 000014
【図１４】
0003545609.tif 000015
【図１５】
0003545609.tif 000016
【図１６】
0003545609.tif 000017